(57)【要約】【課題】重力降下式シャッター用の操作容易な巻き上げ装置を提供する。【解決手段】巻き上げ装置１は、シャッター４０の巻胴４２に回転を伝える伝動機構２と、伝動機構２を支持する枠体５と、枠体５に支持された支軸８に回転可能に支持され且つ伝動機構２に対しクラッチ１０を介し結合するドラム１５と、ドラム１５に一端を係止して巻き取られた所定の長さの引き紐２０と、引き紐２０を引き出す動作に連動してクラッチ１０を嵌合させるクラッチ操作手段２５と、ドラム１５の引き紐２０引き出し方向の回転により付勢力を蓄積する引き紐２０の巻戻し付勢手段２１と、クラッチ１０の離間付勢手段１３とを備えて構成する。これにより、巻き上げ装置１から垂下した引き紐２０を下方に引き下ろす操作と、引く力を緩めて引き紐２０をドラム１５に巻き戻す操作とを繰り返すとシャッター体４１が巻き上がるようにする。【選択図】        図１
2004225335.tif 000002
【特許請求の範囲】
【請求項１】
シャッターの巻胴に回転を伝える伝動機構と、該伝動機構を支持する枠体と、該枠体に支持された支軸に回転可能に軸支持され且つ前記伝動機構に対しクラッチを介し結合するドラムと、該ドラムに一端を係止して巻き取られた所定の長さの帯状、縄状、鎖状、または線状の引き紐と、該引き紐を引き出す動作に連動して前記クラッチを嵌合させるクラッチ操作手段と、前記ドラムの引き紐引き出し方向の回転により付勢力を蓄積するドラムの引き紐巻戻し付勢手段と、前記クラッチの離間付勢手段とを備えてなる、重力降下式シャッターの巻上げ装置。
【請求項２】
ドラムの巻戻し付勢手段が、ドラムを回転可能に支持する支軸に、該支軸よりも大きな内径を有するコイルバネまたはゼンマイバネまたは筍状バネを装着して、その一端を前記支軸側に他端を前記ドラム側にそれぞれ連結し、ドラムに巻き取られた引き紐を引き出す際のドラム回転作用で該バネに巻戻し付勢力が蓄積されるように構成した、請求項１記載の重力降下式シャッターの巻上げ装置。
【請求項３】
伝動機構とドラムとを結合するクラッチは、ドラムの支軸方向移動で嵌脱する形態とする一方、該クラッチの操作手段は、先端に滑車を有するレバーの中間部が前記ドラム側面に当接し且つ先端がドラム側に向け回動可能なるようにその基端を支持するとともに、前記ドラムの幅方向中間位置近傍に案内滑車を設置し、ドラムに巻き取られた引き紐を前記案内滑車とレバー先端の滑車を経由して引き出すように巻き掛け、該引き紐を引くとレバーが回動してドラムが支軸に沿って移動しクラッチが結合するように構成してなる、請求項１または２に記載の重力降下式シャッターの巻上げ装置。
【請求項４】
伝動機構とドラムとを結合するクラッチは、ドラムの支軸方向移動で嵌脱する形態とする一方、該クラッチの操作手段は、前記ドラムの端部にドラム支軸を中心となす円筒部または円弧状部を形成し、該円筒部または円弧上部の内周面とドラム支軸またはその拡径部の外周面とのいずれか一方に周面に沿う螺旋状ガイド手段を、また他方には該ガイド手段に係合する係合片を形成し、前記ドラムの回転に伴う前記係合片とガイド手段との相対移動によりドラムをクラッチの結合と離間の両位置間を軸方向移動させ且つクラッチの結合と離間のそれぞれの位置では前記係合片が前記螺旋状ガイド手段から外れるように構成してなる、請求項１または２に記載の重力降下式シャッターの巻上げ装置。
【請求項５】
シャッターの巻胴に回転を伝える伝動機構が、歯車式伝動機構、チェーンとスプロケットまたはタイミングベルトとプーリーなどを用いた巻き掛け伝動機構などで構成され、シャッター巻胴に対し減速して回転を伝える様に構成してなる、請求項１から４のいずれかに記載の重力降下式シャッターの巻上げ装置。
【発明の詳細な説明】
【０００１】
【発明の属する技術分野】
本発明は、シャッターの巻上げ装置の技術に係わり、更に詳しくは、巻取付勢装置を備えた重力降下式シャッターにおいて、シャッター開放時に身体をかがめてシャッター下端部を持ち上げる動作に代えて、人がくぐり抜け可能なレベルまで紐の引き下げ操作を繰り返すだけで開放でき、車椅子に乗った身体障害者や老人や子供でも容易に操作可能な、重力降下式シャッターの巻上げ装置の構造に関するものである。
【０００２】
【従来の技術】
巻取付勢装置を備えた重力降下式シャッターは、シャッター巻胴にシャッターの重量とほぼバランスする巻取付勢バネが内蔵され、巻下げ時はシャッター下端を引き下ろす操作で、また巻上げ時はシャッター下端を手で持ち上げる操作で、軽い操作力で簡単にシャッターの開閉が行え、シャッター体の下端をあるレベルまで持ち上げると巻上げ付勢力がシャッター体の重力に打ち勝って自動的に巻き上がるといった特長を備えているものがある。或いはまた、火災報知器連動形重力降下式シャッターでは、巻取付勢装置の付勢力を上記の例よりも弱く設定するとともに、シャッター巻胴には火災報知器の作動信号等に連動して解除するブレーキ装置を組み込み、火災時にこのブレーキ装置が解除されるとシャッターが自重で床面まで降下し、巻胴に組み込まれた巻取付勢装置に巻取付勢力が蓄積し、シャッターの開放操作力を軽減するタイプのものもある。これらの重力降下式シャッターにおいて火災発生時にシャッターを開放して避難する際には、身体をかがめてシャッター下端部近傍に手を掛け、巻胴の巻取付勢力が巻胴から下方に垂下するシャッター体の重量を超えるレベル（通常はほぼ人の上半身レベル）、或いは人がくぐり抜けられるレベルに達するまで持ち上げる必要がある。身体をかがめて行うこの動作は車椅子に乗った身体障害者には不可能であり、また間口が広く重量の重いシャッターの場合は老人や子供にも相当な困難が伴う。
【０００３】
一方、シャッター巻上げ操作力を軽減する巻上げ機構としては、固定軸に回転可能に支持されたシャッター巻胴の固定軸と巻胴内周との間にシャッター巻下げ時に巻取付勢力を蓄積する巻取付勢バネを有するとともに、前記巻胴端部にクラッチを介し巻胴に回転を伝達する手動回転プーリーを有してなるシャッターの巻上げ巻下げ装置を備え、前記プーリーに巻き掛けたエンドレスの紐をシャッター巻下げ方向に順次引いてプーリーを回転させると、前記クラッチが嵌合してプーリーの回転が巻胴に伝達され、これによってシャッターを巻下げ、また紐を巻上げ方向に引くと、クラッチが外れて前記巻取付勢バネの作用でシャッターが巻胴に巻き取られて巻上がるとともに、巻上げ行程途中でシャッターが停止した際には前記紐を巻上げ方向に順次引くと、クラッチが嵌合してプーリーの回転が巻胴に伝達され、これによってシャッターの巻上げが可能に構成されたシャッター構造が知られている（例えば、特許文献１参照。）。
【０００４】
【特許文献１】
特開２０００−３４５７８２号公報（第２〜４頁、図１〜４）
【０００５】
【発明が解決しようとする課題】
この特許文献１に示されたシャッターは、一方向回転クラッチが内蔵されていることもあり、シャッター体の巻下げ時はその全行程に亘って巻取付勢バネの巻上げ付勢力に対抗する力で紐を引く必要があり、この作業にはかなりの労力を伴い、従来の重力降下式シャッターのようにシャッター体の下端を引き降ろす操作で簡単且つ迅速にシャッターを巻下げることができないのみならず、巻上げ装置がシャッター巻胴に内蔵された専用の構造であるため、既設の重力降下式シャッターに取り付ける際は巻胴の交換が必要であるといった不具合がある。
【０００６】
前述の状況に鑑み本発明が解決しようとするところは、既設の重力降下式シャッターにも簡単に取付可能で、車椅子に乗った身体障害者や老人や子供が自力操作で容易に操作して開放できる、重力降下式シャッターの巻上げ装置を提供する点にある。車椅子に乗った身体障害者や老人や子供に共通して容易に行える動作としては、たとえば天井部から垂下した引き紐を握ってこれを引き下げることを繰り返す動作である。即ち、本発明が解決しようとする課題は、前記の動作でシャッター体を巻上げできる機構を備え、しかも既設の重力降下式シャッターにも簡単に設置可能な巻上げ装置を提供する点にある。
【０００７】
【課題を解決するための手段】
前述の課題解決のため、本発明では、重力降下式シャッターの巻上げ装置は、シャッターの巻胴に回転を伝える伝動機構と、該伝動機構を支持する枠体と、該枠体に支持された支軸に回転可能に軸支持され且つ前記伝動機構に対しクラッチを介し結合するドラムと、該ドラムに一端を係止して巻き取られた所定の長さの帯状、縄状、鎖状、または線状の引き紐と、該引き紐を引き出す動作に連動して前記クラッチを嵌合させるクラッチ操作手段と、前記ドラムの引き紐引き出し方向の回転により付勢力を蓄積するドラムの引き紐巻戻し付勢手段と、前記クラッチの離間付勢手段とを備えた構成とする。
【０００８】
この構成からなるシャッター巻上げ装置は、ドラムから垂下させた引き紐を下方に引き出すと、クラッチが結合してドラムの引き紐引き出し方向の回転が伝動機構を介しシャッター巻胴に伝わりシャッターを所定量巻上げ、引き紐の力を緩めるとクラッチが外れ引き紐がドラムに巻戻され、引き紐を引き下ろす単純動作を繰り返すだけで車椅子に乗った身体障害者や老人や子供でもシャッターを容易に開放できる。このシャッター巻上げ装置は、伝動機構を介しシャッター巻胴の外側に取り付ける構造のため、既設シャッターにも簡単に取り付け可能である。
【０００９】
上記のドラムの巻戻し付勢手段は、ドラムを回転可能に支持する支軸に、該支軸よりも大きな内径を有するコイルバネまたはゼンマイバネまたは筍状バネを装着して、その一端を前記支軸側に他端を前記ドラム側にそれぞれ連結し、ドラムに巻き取られた引き紐を引き出す際のドラム回転作用で該バネに巻戻し付勢力が蓄積されるように構成するとよい。
【００１０】
また、伝動機構とドラム間のクラッチは、ドラムの支軸方向移動で嵌脱する形態とし、該クラッチの操作手段は、例えば、先端に滑車を有するレバーの中間部が前記ドラム側面に当接し且つ先端がドラム側に向け回動可能なるようにその基端を支持するとともに、前記ドラムの幅方向中間位置近傍に案内滑車を設置し、ドラムに巻き取られた引き紐を前記案内滑車とレバー先端の滑車を経由して引き出すように巻き掛け、該引き紐を引くとレバーが回動してドラムが支軸に沿って移動しクラッチが結合するように構成すればよい。
【００１１】
或いは、クラッチの操作手段は、ドラムの端部にドラム支軸を中心となす円筒部または円弧状部を形成し、該円筒部または円弧状部の内周面とドラム支軸またはその拡径部の外周面とのいずれか一方に周面に沿う螺旋状ガイド手段を、また他方には該ガイド手段に係合する係合片を形成し、前記ドラムの回転に伴う前記係合片とガイド手段との相対移動によりドラムをクラッチの結合と離間の両位置間を軸方向移動させ且つクラッチの結合と離間のそれぞれの位置では前記係合片が前記螺旋状ガイド手段から外れるように構成してもよい。
【００１２】
上記の伝動機構は、歯車式伝動機構、チェーンとスプロケットまたはタイミングベルトとプーリーなどを用いた巻き掛け伝動機構など適宜の機構を用い、シャッター巻胴に対し減速して回転を伝える様に構成すると、引き紐を引き出す操作力を軽減することになり好都合である。
【００１３】
【発明の実施の形態】
つぎに本発明の実施の形態を添付図面に基づき詳細に説明するが、本発明は、添付図面に示された形態に限定されず特許請求の範囲に記載の要件を満たす実施形態の全てを含むものである。本発明に係るシャッター巻上げ装置と重力降下式シャッターとの連結状態における全体構成を図１に示し、図２および図３には図１に示すシャッター巻上げ装置を拡大して示し、図３はクラッチが嵌合した状態を示している。また、図４には該シャッター巻上げ装置の枠体の左側面を、また、図５にはクラッチ操作手段のレバー部の右側面をそれぞれ示す。
【００１４】
図において、シャッター４０は従来から知られている重力降下式シャッターと同様の基本構成からなり、該シャッター４０は、建物天井部のシャッター収納区画の壁面または設置用ブラケット（図示しない）に対し軸受４４，４４を介し固定支持された軸４３と、軸４３に回転可能に取り付けられた巻胴４２と、巻胴４２に上端部を係止して巻き取られ且つ左右両端が案内レールに沿って昇降可能に支持され且つ下端に下端部材または適宜のウエイト部材を連結してなるスラット状またはシート状のシャッター体４１と、軸４３に挿入され一端を軸４３に他端を巻胴４２にそれぞれ係止したコイルバネからなる巻取付勢バネ４５とを有してなる。そして、巻取付勢バネ４５は、シャッター体４１が下降する際の巻胴４２の回転でシャッター体巻取付勢力を蓄積するように構成されている。巻取付勢バネ４５は、シャッター体４１のほぼ全量を巻胴４２に巻き取った状態で僅かに巻取付勢力が残るように初期付勢するとともに、シャッター体４１の下端部が人の腰のレベルにある状態で、シャッター体４１の巻胴から垂下した部分の重量と巻取付勢力とがほぼバランスするように設定してある。
【００１５】
この構成により、シャッター４０のシャッター体４１下端を引き下ろすと、シャッター体４１が下降するとともに巻取付勢バネ４５には巻取付勢力が追加蓄積され、反対に、床に着床したシャッター体４１の下端を持ち上げると、巻取付勢バネ４５に蓄積されていた巻取付勢力の作用で巻胴４２がシャッター体４１を巻上げ、人の腰のレベル近傍迄持ち上げると巻胴から垂下したシャッター体４１の重量に対し巻取付勢バネ４５の巻取付勢力が打ち勝ってシャッター体４１は自動的に巻胴４２に巻き取られて上昇する。
【００１６】
一方、シャッターの巻上げ装置１は、重力降下式シャッター４０の近傍に設置され、シャッター体４１を巻き上げる巻胴４２の端部に伝動機構２を介して連結する。この巻上げ装置１は、シャッター４０の巻胴４２の端部にブッシュ４６を介し連結し回転を伝達する伝動機構２と、伝動機構２を支持する枠体５と、枠体５に支持された支軸８に対し回転可能に支持され且つ伝動機構２に対しクラッチ１０を介し結合するドラム１５と、ドラム１５に一端を係止して巻き取られた所定の長さの引き紐２０と、引き紐２０を引き出す動作に連動してクラッチ１０を嵌合させるクラッチ操作手段２５と、ドラム１５の引き紐２０引き出し方向の回転により付勢力を蓄積するドラムの巻戻し付勢手段２１と、クラッチ１０の離間付勢手段１３とを備えて構成される。
【００１７】
つぎに、上記構成からなる巻上げ装置１の各構成部材の詳細構造を以下に順次説明する。まず、伝動機構２について説明する。伝動機構２は、巻胴４２の端部にブッシュ４６を介し取り付けた大径のスプロケット３ａと、巻上げ装置１の枠体５に固定された支軸８に対し回転可能且つ軸方向移動が規制されるように取り付けられた小径のスプロケット３と、該両スプロケット３，３ａ間に巻き掛けたチェーン４とを有する巻き掛け伝動装置からなり、枠体５側のスプロケット３の回転が、伝動機構２で減速されてシャッター４０の巻胴４２に伝達され巻胴４２を回転駆動するように構成している。この伝動機構２は、チェーン４とスプロケット３，３ａをそれぞれベルトとプーリーに代えてもよいし、巻き掛け伝動機構に限らず歯車を用いた歯車式伝動機構に代えてもよい。
【００１８】
つぎに、枠体５について説明する。枠体５は、対向する左右一対の矩形の側板６，６ａと、側板６，６ａを連結する上下１対の平行な連結部材７，７ａとを有し、正面から見て矩形の枠構造をなし、側板６，６ａの上下連結部材７，７ａの間にはドラム１５の支軸８を支持する軸穴を有している。なお、枠体５の左側の側板６の各隅には、取付用ボルト穴として、前後に長い４個の長穴９がそれぞれ貫通形成され、壁面に枠体５を取り付ける際に枠体を前後に位置調整可能にしている。
【００１９】
つぎに、ドラム１５について説明する。ドラム１５は、円筒形の胴部１６と、胴部１６の両端に脱着可能に取り付けられ且つ中心に貫通孔を有するボス部１７ａ，１８ａをそれぞれ備え外径が胴部１６よりも大径の円形の左右フランジ１７，１８とを有してなり、このドラム１５のボス部１７ａ，１８ａの貫通孔には支軸８を挿入してドラム１５を回転可能に支持するとともに、支軸８はその両端を枠体５の側板６，６ａ中央の軸穴にそれぞれ固定支持する。つまり、ドラム１５は、支軸８に回転可能且つ軸方向移動可能に支持されている。
【００２０】
つぎに、ドラム１５と伝動機構２の間のクラッチ１０について説明する。クラッチ１０は添付図の例では爪クラッチであり、一方のクラッチ片１１はスプロケット３の側面に固設され、他方のクラッチ片１２はドラム１５の図１における左側のフランジ１７のボス１７ａ側端に形成されてなる。そして両クラッチ片１１，１２の間にはクラッチの離間付勢手段として、支軸８に装着されたコイルバネからなる離間付勢バネ１３を介在している。クラッチ片１１，１２の互いの爪は、クラッチ離間付勢バネ１３がドラムを図１における右方に押した状態では互いの嵌合が解除され、クラッチ操作手段２５（後述参照）が作動した状態では互いが噛み合って結合される様に構成されている。離間付勢バネ１３はコイルバネに限らず例えば台形バネや皿バネなど適宜のバネに代えることが可能である。またクラッチ１０は、爪クラッチに限らず摩擦式クラッチなど、互いのクラッチ片が離間した時に正逆いずれの回転もフリーになる型式のクラッチであればよい。
【００２１】
つぎに、ドラム１５の引き紐２０と引き紐巻戻し付勢手段について説明する。引き紐２０は、ドラム１５に巻き付けてその引き出し作用でドラム１５およびシャッター巻胴４２を回転させるのに適した引っ張り強度を備え且つ柔軟性なものであれば、帯状、縄状、鎖状、または線状の部材などいずれでもよい。そしてその一端はドラム１５の胴部１６または左右フランジ１７，１８のいずれかに係止するとともに、その他端には手で握りやすいように例えば環状の握り輪２０ａなど適宜の握りを設けると都合がよい。ドラム１５には、引き紐２０の巻戻し付勢手段２１を設ける。この巻戻し付勢手段２１は、ドラム１５の胴部１６内の支軸８にコイルバネ２２を装着し、その一端を支軸８に他端をドラム１５の胴部１６内周または左右フランジ１７，１８のいずれかにそれぞれ係止して構成する。巻戻し付勢手段２１は、コイルバネ２２に限らず、帯状の弾性材料を渦巻き状に巻いて形成したゼンマイバネまたは先細の筒状に（螺旋状）に巻いて形成した筍状ばねなどに代えることが可能である。
【００２２】
つぎに、クラッチ操作手段２５について説明する。クラッチ操作手段２５は、枠体５の上方（図１の上方）の連結部材７に取り付けられ且つレバー２６の基端を回動可能に枢止するためのレバー支持部材２８と、中間が外側（ドラム１５と反対側で図１の右方）に曲折し且つ該曲折部に外周部が外部に露出する垂直のローラー２６ｂを回転可能に取り付けた前後１対のレバー部材を適宜の間隔を隔てて互いの基端をレバー枢止ピン２６ａで固定連結して形成したレバー２６と、該レバー２６の一方のレバー部材の先端（図１における手前側レバー部材の下方側端部）延長部の先端にベアリング２７ａを介し回転可能に取り付けた垂直の滑車２７と、ドラム１５の幅方向中間位置近傍に枠体下方連結部材７ａで支持されドラム胴部１６の外接線および滑車２７とほぼ平行な案内滑車３０とで構成する。
【００２３】
そして、前記レバー２６のローラー２６ｂ，２６ｂの外周がドラム１５の右側フランジ１８の外側面に接し且つレバー２６先端の滑車２７側が左右方向（支軸８に沿う方向）に回動可能なるようにレバー２６基端のレバー枢止ピン２６ａをレバー支持部材２８に支持するとともに、ドラム１５に巻き取られた引き紐２０を、ドラム１５中央に隣接する案内滑車３０からレバー２６先端の滑車２７を経由して引き出すように巻き掛ける。
【００２４】
レバー２６は、中間曲折部のローラー２６ｂがドラム１５の右側フランジ１８の外側面に接し且つレバー２６の先端がドラム１５の右方外側に反るような姿勢にしてレバー支持部材２８に対し取り付けている。そのため、引き紐２０の下端握り輪２０ａを下方に引き下げると、その張力でレバー２６がドラム１５の右側フランジ１８を押して回動し、その作用でドラム１５が支軸８に沿って左方に移動しクラッチ１０が結合するように構成されている。
【００２５】
つぎに、以上の構成からなる重力降下式シャッター４０の巻上げ装置１の作用を説明する。巻上げ装置１は、引き紐２０に引き出し力が作用しないときはクラッチ１０の爪が離間付勢手段１３の作用で互いに離間するとともに、引き紐２０の引き出し作用でクラッチ操作手段２５が作動し、クラッチ１０の爪が互いに噛み合う。そして、引き紐２０の引き出しに伴うドラム１５の回転が、クラッチ１０と伝動機構２を介しシャッター４０の巻胴４２に伝達されるとともに、巻戻し付勢手段２１の付勢力を蓄積させる一方、引き紐２０を緩めた時には、クラッチ操作手段２５がドラム１５をスプロケット３側へ押す力がなくなり、離間付勢手段１３の作用でクラッチ１０の爪が外れ、自由になったドラム１５が巻戻し付勢手段２１の作用で逆転して引き紐２０を巻戻す。つまり、巻上げ装置１のドラム１５から垂下させた引き紐２０を下方に引き出すと、シャッター体４１を所定量巻上げることができ、引き紐２０を引く力を緩めると、クラッチ１０が外れ引き紐２０がドラム１５に巻戻され、この動作を繰り返すとシャッター体４１が順次巻胴４２に巻き取られる。そして、シャッター体４１の自重が巻胴４２の巻取付勢力よりも小さくなった時点でシャッター体４１は自動的に巻上がる。
【００２６】
なお、引き紐２０の巻戻し行程時に、シャッター体４１の自重が巻取付勢バネ４５の巻取付勢力よりも大きい領域ではシャッター体４１が自重下降しようとするが、シャッター４０と伝動機構２の各可動部には摩擦作用などの抵抗があり、また引き紐２０の巻戻しが高速で行われごく短時間で済むことにより、この間の自重降下は寡少で実用上問題にはならない。本発明に係る巻上げ装置１は、引き紐２０を引かない通常時にはクラッチ１０の離間付勢手段１３でシャッター４０との結合が切り離されているので、一般の自重降下式シャッターと同様、シャッター体４１の下端部を引き下ろしたり、シャッター体４１の下端を持ち上げて巻上げる操作を容易且つ迅速に行うといった便利な機能もそのまま活用できる。
【００２７】
なお、巻上げ装置１のクラッチ操作手段２５には、レバー２６の必要以上の右方回動を規制する手段として、巻上げ装置１の枠体５右側の側板６ａにはレバー２６の側面に当接するストッパ２９を設けている。ストッパ２９は、ネジ部材出形成されねじ込み量でレバー回動範囲を調整可能である。なお、ストッパ２９の位置を上下変更可能なようにレバー２６には当接部を複数形成してある。また図示の例では、レバー２６は、１対のレバー部材の基端側をレバー枢止ピン２６ａで固定連結した側面視コ字状の形態にして、左右回動を許容し前後揺動を規制する支持構造を有し、且つドラム１５をクラッチ１０の離間付勢バネ１３に対抗して左方移動を行う上で十分な剛性強度を有する。レバー２６は、このような機能を備えた構造の部材であれば、図示の形態に限らず適宜の形態としてもよく、例えば１本のレバー部材で構成してもよい。また、図示は省略するが、ドラム１５には巻戻し付勢手段２１に初期付勢力即ち回転抵抗を付加させておき、引き紐を引くとまずクラッチが嵌合しその後にドラムが回転する関係に設定しておくと、引き紐２０を引き出す際のドラム１５の空転が回避できる。ストッパ２９についても、レバー２６の必要以上の回動を規制する機能を備えれば、図示に限らず適宜の形態でよい。
【００２８】
つぎに、本発明に係る巻上げ装置のクラッチ操作手段の別の実施形態について図６〜７に基づいて説明する。図６は、本発明のシャッター巻上げ装置の別の実施例を示し、図７は図６に示すシャッター巻上げ装置のクラッチが嵌合した状態を示している。これらの図は前述の巻上げ装置１における図２と同じ側から見た別の巻上げ装置１ａの正面図である。巻上げ装置１ａは、クラッチ操作手段３５以外は前述の巻上げ装置１とほぼ同じ構成からなる。従って、図において巻上げ装置１と同じ部材については同じ符号で示している。この図に示すクラッチ操作手段３５は、ドラム１５の右側フランジ１８の外端に支軸８を中心となす円筒部３６を形成するとともに、ドラム１５の円筒部３６内周と対峙する位置の支軸８には支軸拡径部３８を形成し、且つ、支軸拡径部３８の外周には周面に沿う螺旋状ガイド溝３９、３９を対角位置に形成する一方、円筒部３６の内周にはガイド溝３９，３９にそれぞれ係合する係合片３７，３７を突出形成し、ドラム側の係合片３７と支軸８側のガイド溝３９とが係合する領域では、ドラム１５が正転または逆転すると係合片３７がガイド溝３９に沿って相対移動し、ドラム１５がクラッチ１０の嵌脱行程間を軸方向に移動する機構を構成している。ガイド溝３９と係合片３７は少なくとも１組あればよいが、対向位置に形成すると、半回転毎に互いが係合位置に出合うことと、作動が安定するといった点で都合がよい。
【００２９】
なお、上記のガイド溝３９については、支軸拡径部３８周面に螺旋状即ちネジ状に形成するが、クラッチ嵌脱に必要なドラム１５の軸方向移動量は僅かであるので、ガイド溝の円周方向に対する螺旋の傾きを摺動片との摩擦角（約２５°以下）以下とすればよく、形成範囲は支軸拡径部３８の全周には及ばず通常半回転以下でよい。また図示は省略するが、上記説明とは反対に、ガイド溝をドラム１５に形成した円筒部３６の内周に形成し、ガイド溝３９に係合する係合片３７を支軸８または支軸拡径部３８に突出形成してもよい。或いは図示は省略するが、ガイド溝に代えてネジ山状の案内部を突出形成し、係合片に代えて前記ネジ山状案内部に係合する凹部を有する摺動片としてもよい。
【００３０】
そしてこの機構においては、クラッチ１０の嵌脱それぞれの位置では係合片３７がガイド溝３９から外れドラム１５がその状態で回転するように支軸拡径部３８の幅を設定する一方、クラッチ１０の離間付勢バネ１３ａには圧縮と引っ張りの両方向付勢可能な例えばコイルバネなどを用いる。離間付勢バネ１３ａの両端末はそれぞれ半径方向外側に曲折するか半径方向外方に張り出す突出部を形成するとともにクラッチ片１１，１２の離間付勢バネ１３ａの端部が当接する部位のボス部内周には環状溝を形成し、該離間付勢バネ両端の前記曲折部または突出部の一方（バネ１３ａの一端）はスプロケット３側クラッチ片１１の前記環状溝に、また他方（バネ１３ａの他端）はドラム１５側クラッチ片１２の前記環状溝にそれぞれ溝方向に沿って相対摺動可能に係合し、離間付勢バネが中立状態以上に両クラッチ片１１，１２が離間した際には両者を引き寄せ付勢する作用力が発生する関係に連結する。そして離間付勢バネ１３ａは、クラッチ片１１，１２の嵌脱移動行程の中間位置が前記中立点となるように構成する。つまり、離間付勢バネ１３ａは、ドラム１５がクラッチ脱側への移動途中で離間付勢力がゼロとなり更にクラッチ脱側へドラム１５が移動すると付勢力が反転する機能を備え、引き紐２０を引き出してドラム１５が回転した際にドラムの１回転以内（好ましくは半回転以内）で係合片３７とガイド溝３９とが確実に係合する構成とする。
【００３１】
つぎに、上記構成からなるクラッチ操作手段３５の作用を説明する。クラッチ１０が離間した状態ではドラム１５の係合片３７が支軸拡径部３８の外側面（右側面）に当接して離間付勢バネ１３ａにより左方付勢され、また、クラッチ１０が嵌合した状態ではドラム１５の係合片３７が支軸拡径部３８の内側面（左側面）に当接して離間付勢バネ１３ａにより右方付勢される。一方、ガイド溝３９は支軸拡径部３８の外周に沿って螺旋状に形成されるとともにその両端が支軸拡径部３８の左右側面に連通している。そのため、ドラム１２に巻き取られた引き紐２０の端部を下方に引き下げると、ドラムが正転（シャッター体４１を巻上げる方向の回転）し、ドラム側係合片３７が支軸側ガイド溝３９の右端と一致した時点でガイド溝３９に係合しガイド溝３９に沿ってドラム１５が左方移動しクラッチ１０が嵌合する。クラッチ１０が完全に嵌合した位置では、係合片３８がガイド溝３９の左端から外れ、その後はドラムがその位置で正転を続けスプロケット３に回転を伝えシャッター体４１が巻き上がり且つドラム１５内の巻戻し付勢手段２１のコイルバネ２２に巻戻し付勢力が蓄積される。つぎに、引き紐２０を引く力を緩めると、ドラム１５内の巻戻し付勢手段２１に蓄積された付勢力の作用でドラムが引き紐２０を巻き戻す方向に逆転し、ドラム側係合片３７がガイド溝３９の左端と一致した時点でガイド溝３９に係合しガイド溝３９に沿ってドラム１５が右方移動しクラッチ１０が切り離される。クラッチ１０が完全に切り離された位置では、係合片３８がガイド溝３９の右端から外れ、その後はドラムがその位置で逆転を続けて引き紐２０を初期状態まで巻き戻す。以上の動作を繰り返すことでシャッター体４１が順次巻き上げられる。
【００３２】
なお、この引き紐２０の巻戻し行程ではシャッター体４１を巻き取る巻胴４２が僅かに逆転するが、この逆転作用は引き紐巻戻し行程初期のごく短い過渡現象であり、シャッター４０の可動部の摩擦抵抗と巻胴４２の内部の巻取付勢バネ４５の付勢力の作用効果によりシャッター体４１が継続して降下する現象には至らない。
【００３３】
上記説明の実施例はいずれも、チェーンなどの伝動機構２を用いて巻上げ装置１または１ａをシャッター４０と連結してドラム１５の回転をシャッター４０に伝える方式を例示している。しかしこの伝動機構に代えて、シャッター４０の巻胴４２の端部に適宜の連結部材を取り付け、この連結部材を伝動機構として市の端部に、巻上げ装置１または１ａのクラッチ１０のドラム１５側クラッチ片１２と噛み合う相手側クラッチ片（スプロケット３側のクラッチ片１１に相当するクラッチ片）を設け、シャッター４０と巻上げ装置１または１ａとを一直線上に対向配置する構成にしてもよい。同様の配置構成で上記連結部材に遊星減速機やサイクロ減速機などの減速手段を介在させると引き紐２０の操作力を軽減することができ都合がよい。
【００３４】
以上の説明は、シャッター巻胴にシャッターの重量とほぼバランスする巻取付勢バネが内蔵され、巻下げ時はシャッター下端を引き下ろす操作で、また巻上げ時はシャッター下端を手で持ち上げる操作で、軽い操作力で簡単にシャッターの開閉が行え、解放時はシャッター体を途中まで引き上げると巻取付勢力がシャッター体の下降方向の重力に打ち勝って自動的に巻き上がるタイプの重力降下式シャッターを例にとって説明した。しかし、重力降下式シャッターのうち火災報知器連動形重力降下式シャッターにおいては、巻取付勢装置の付勢力を上記のシャッターの例よりも弱く設定するとともに、シャッター巻胴には火災報知器（図示しない）の作動信号等に連動して解除するブレーキ装置（図示しない）を組み込み、火災発生時などシャッターの降下時にこのブレーキ装置を解除するとシャッターが自重で床面まで降下し、それに連動して巻胴に組み込まれた巻取付勢装置に巻取付勢力が蓄積され、シャッターの開放時の操作力を軽減するタイプのものもある。本発明のシャッター巻上げ装置は、この２つのタイプいずれの重力降下式シャッターに対しても適用が可能であり、後者に対する詳細な作動説明は省略するが、両タイプともにそれぞれ同様の作用効果が得られる。なお、後者の火災報知器連動形重力降下式シャッターに本発明のシャッター巻上げ装置を備えた場合は、人が避難した後そのまま放置してもシャッター体が自重でゆっくり降下して自動的に通路を遮断するので、通過後にシャッターの閉め忘れによる火災の延焼を防ぐことができ、火災時には一層その効果が発揮されるといえる。
【００３５】
【発明の効果】
以上にしてなる請求項１に係る発明の重力降下式シャッターの巻上げ装置は、シャッターの巻胴に回転を伝える伝動機構に、引き紐を巻き取ったドラムをクラッチを介して結合し、その引き紐を引き出す作用でクラッチが嵌合してドラムの回転がシャッター巻胴に伝達され、引き紐を引く力を緩めると前記クラッチが外れて引き紐が巻き戻される機能を備えたので、車椅子に乗った身体障害者や老人や子供に共通して容易な動作、即ち、天井部から垂下した引き紐を引き降ろす単純動作を繰り返すことで、シャッターを自力で容易に巻上げることができるといった作用効果がある。しかも、シャッター巻取装置は、重力降下式シャッターの巻胴に伝動機構を介して連結した構造からなるので、既設の重力降下式シャッターにも巻胴を交換することなく容易に取り付けることができ、しかも、通常はクラッチで重力降下式シャッターとは縁が切れているので、巻下げはシャッター下端部の引き下ろし操作で、また、シャッター巻上げはシャッター下端部の持ち上げ操作で、それぞれ簡単且つ迅速に開閉ができるといった重力降下式シャッターの優れた操作性をそのまま活用できるなどの作用効果がある。
【００３６】
請求項２に係る発明の重力降下式シャッターの巻上げ装置は、ドラムの巻戻し付勢手段を、ドラムの支軸に、該支軸よりも大きな内径を有するコイルバネまたはゼンマイバネまたは筍状バネを装着して、その一端を前記支軸側に他端を前記ドラム側にそれぞれ連結し、ドラムに巻き取られた引き紐を引き出す際のドラム回転作用で該バネの巻戻し付勢力が蓄積される構成としたので、ドラムの支軸方向移動即ちクラッチの嵌脱が支障なく行え、且つ、引き紐の引き出し長さが数十センチメートル以上約１メートルを超える長さになっても十分対応可能な巻戻し付勢バネをドラム内にコンパクトに収納することができる。つまり、コンパクトになって狭いスペースにも設置可能で、既設のシャッターにも容易に取付が可能となり、また、操作力軽減のため伝動機構の減速比を大きくして引き紐の引き出し長さを長くすることも容易に対応できるなどの作用効果がある。
【００３７】
請求項３に係る発明の重力降下式シャッターの巻上げ装置は、伝動機構とドラム間のクラッチを、ドラムの支軸方向移動で嵌脱する形態とし、該クラッチの操作手段を、先端に滑車を有するレバーの中間部が前記ドラム側端に当接し且つ先端がドラム側に向け回動可能なるようにその基端を支持するとともに、前記ドラムの幅方向中間位置近傍に案内滑車を設置し、ドラムに巻き取られた引き紐を前記案内滑車とレバー先端の滑車を経由して引き出すように巻き掛けて構成したので、引き紐を下方に引き出す動作と緩める動作とに連動してクラッチが嵌脱する機構が簡単な構成で実現できた。そして引き紐は、案内滑車を経由してドラムに巻き取られるので、ドラム上での引き紐の乱巻きや食い込みが回避でき円滑に作動するといった作用効果がある。
【００３８】
請求項４に係る発明の重力降下式シャッターの巻上げ装置は、クラッチの操作手段を、ドラムの端部にドラム支軸を中心となす円筒部または円弧状部を形成し、該円筒部または円弧状部の内周面とドラム支軸またはその拡径部の外周面とのいずれか一方に周面に沿う螺旋状ガイド手段を、また他方には該ガイド手段に係合する係合片を形成し、ドラムの回転に伴う係合片とガイド手段との相対移動によりドラムをクラッチの結合と離間の両位置間を軸方向移動させ且つクラッチの結合と離間のそれぞれの位置では前記係合片が前記螺旋状溝から外れるように構成したので、クラッチ嵌脱操作機構が外部に露出せず、ドラムの僅かな回転で確実にクラッチが嵌脱し、しかも、引き紐がドラムから直接引き出される形態となり、意匠的美観を保ち且つより確実な操作が行えるといった作用効果がある。
【００３９】
請求項５に係る発明の重力降下式シャッターの巻上げ装置は、伝動機構に、歯車式伝動機構、チェーンとスプロケットまたはタイミングベルトとプーリーなどを用いた巻き掛け伝動機構など適宜の機構を用い、シャッター巻胴に対し減速して回転を伝える様に構成したので、引き紐を引き出す操作力を軽減させ、車椅子に乗った身体障害者や老人や子供などでも容易に操作できるといった作用効果がある。
【図面の簡単な説明】
【図１】本発明に係るシャッター巻上げ装置と重力降下式シャッターとの連結状態における全体構成を示す図である。
【図２】図１に示すシャッター巻上げ装置を拡大して示す図で、クラッチおよびドラム部を断面にした部分断面図である。
【図３】図２に示すシャッター巻上げ装置のクラッチが嵌合した状態を示す図である。
【図４】図２に示すシャッター巻上げ装置の枠体の左側面を示す図である。
【図５】図２に示すシャッター巻上げ装置のレバー部の右側面を示す図である。
【図６】本発明のシャッター巻上げ装置の別の実施例を示す図である。
【図７】図６に示すシャッター巻上げ装置のクラッチが嵌合した状態を示す図である。
【符号の説明】
１，１ａ  巻上げ装置
２  伝動機構
３，３ａ  スプロケット
４  チェーン
５  枠体
６，６ａ  側板
７，７ａ  連結部材
８  支軸
９  長穴
１０  クラッチ
１１，１２  クラッチ片
１３  離間付勢バネ（離間付勢手段）
１３ａ  離間付勢バネ（離間付勢手段）
１５  ドラム
１６  胴部
１７  左側フランジ
１７ａ  ボス部
１８  右側フランジ
１８ａ    ボス部
２０  引き紐
２０ａ  握り輪
２１  巻戻し付勢手段
２２  コイルバネ
２５  クラッチ操作手段
２６  レバー
２６ａ  レバー枢止ピン
２６ｂ  ローラー
２７  滑車
２７ａ  ベアリング
２８  レバー支持部材
２９  ストッパ
３０  案内滑車
３５  クラッチ操作手段
３６  円筒部
３７  係合片
３８  支軸拡径部
３９  ガイド溝（ガイド手段）
４０  重力降下式シャッター（シャッター）
４１  シャッター体（スラット、シート）
４２  巻胴
４３  軸
４４  軸受
４５  巻取付勢バネ
４６  ブッシュ
【図１】
2004225335.tif 000003
【図２】
2004225335.tif 000004
【図３】
2004225335.tif 000005
【図４】
2004225335.tif 000006
【図５】
2004225335.tif 000007
【図６】
2004225335.tif 000008
【図７】
2004225335.tif 000009